(57)【特許請求の範囲】
【請求項１】
複数のボタンを備えたパネルと、中継機用ドメイン名を格納するメモリと、前記パネルからの入力データが数字のみである場合前記入力データが中継の最終宛先のＦＡＸ番号であると判定する判定部と、前記判定部が前記入力データを中継の最終宛先のＦＡＸ番号であると判定した場合前記入力データに前記中継機用ドメイン名を付加して中継用メールアドレスを生成する中継機アドレス付加部と、前記中継用メールアドレスを宛先とする電子メールを送信するメール送信部と、を具備することを特徴とするインターネットファクシミリ装置。
【請求項２】
パネルからの入力データが数字のみであるならば前記入力データは中継の最終宛先のＦＡＸ番号と判定し、前記入力データに中継機用ドメイン名を付加して中継用メールアドレスを生成し、この中継用メールアドレスを電子メール送信部に送ることを特徴とするアドレス入力制御方法。
【発明の詳細な説明】
【０００１】
【発明の属する技術分野】
本発明は、インターネットファクシミリ装置およびアドレス入力制御方法に関する。
【０００２】
【従来の技術】
従来、特開平８ー２４２３２６号公報、米国特許５、８８１、２３３号に開示されているようなインターネットファクシミリ装置（以下、ＩＦＡＸという）が提案されている。このようなＩＦＡＸでは、送信前にオペレータは宛先のメールアドレスを入力する必要がある。
【０００３】
また、宛先がＧ３ファクシミリであった場合、送信元のＩＦＡＸから、宛先のＧ３ファクシミリの近くにあるＩＦＡＸに中継を依頼することができる。中継用ＩＦＡＸに送信元のＩＦＡＸから中継を依頼する場合、オペレータが、送信元のＩＦＡＸに、所定の中継コマンドをＩＦＡＸのメールアドレスに組み込んだ中継用アドレスを入力する必要がある。
【０００４】
【発明が解決しようとする課題】
しかしながら、ＩＦＡＸは、通常、従来のＧ３ファクシミリ装置と同様に、アルファベット入力用の専用キーボードは付属していない。例えば、従来のＩＦＡＸは、アルファベット入力モードに切り替えてファンクションキーをアルファベットの入力に使用できるようになっている。しかし、ファンクションキーは、比較的小さいため、比較的長いメールアドレスを入力したときに入力ミスが発生しやすく、オペレータの使い勝手が悪い。
【０００５】
本発明は、かかる点に鑑みてなされたものであり、メールアドレスの入力を簡単にかつ確実に行えるインターネットファクシミリ装置およびアドレス入力制御方法を提供することを目的とする。
【０００８】
【課題を解決するための手段】
本発明は、パネルからの入力データが数字のみである場合入力データが中継の最終宛先のＦＡＸ番号であると判定し、入力データに中継機用ドメイン名を付加して中継用メールアドレスを生成し、この中継用メールアドレスを宛先とする電子メールを送信することとした。
【０００９】
これにより、ユーザが入力した数字に基づいて中継用メールアドレスが自動的に生成されるため、容易に中継を依頼することができる。
【００１０】
【発明の実施の形態】
本発明の第１の態様に係るインターネットファクシミリ装置は、複数のボタンを備えたパネルと、デフォルトドメイン名を格納するメモリと、前記パネルからユーザ名が入力されたならば前記デフォルトドメイン名を前記ユーザ名に付加してメールアドレスを生成するパネル入力制御部と、前記メールアドレスを宛先とする電子メールを送信するメール送信処理部と、を具備する構成を採る。
【００１１】
この構成により、パネルからオペレータがユーザ名を入力すると、パネル入力制御部がユーザ名にデフォルトドメインを付加し、メールアドレスを生成するので、オペレータは、ユーザ名だけを入力すれば足りる。
【００１２】
本発明の第２の態様に係るインターネットファクシミリ装置は、複数のボタンを備えたパネルと、デフォルトドメイン名を格納するメモリと、前記パネルからの入力データにアットマークが含まれていない場合前記入力データがユーザ名であると判定する判定部と、前記判定部が入力データがユーザ名であると判定した場合前記ユーザ名に付加してメールアドレスを生成するパネル入力制御部と、前記メールアドレスを宛先とする電子メールを送信するメール送信処理部と、を具備する構成を採る。
【００１３】
この構成により、オペレータがパネルからユーザ名を入力すると、ユーザ名にはアドレスとドメイン名との境を示すアットマークは含まれていないので、パネル入力制御部は、この入力データをユーザ名と判定し、このユーザ名にユーザ名にデフォルトドメインを付加し、メールアドレスを生成するので、オペレータは、ユーザ名だけを入力すれば足りる。
【００１４】
本発明の第３の態様に係るインターネットファクシミリ装置は、複数のボタンを備えたパネルと、中継機メールアドレスを格納するメモリと、前記パネルからＦＡＸ番号が入力されたならば前記ＦＡＸ番号に前記中継機メールアドレスを付加して中継依頼用メールアドレスを生成するパネル入力制御部と、前記中継依頼用メールアドレスを宛先とする電子メールを送信するメール送信処理部と、を具備する構成を採る。
【００１５】
この構成により、パネルからオペレータがユーザ名を入力すると、パネル入力制御部が中継機メールアドレスにＦＡＸ番号を付加し、中継依頼用メールアドレスを生成するので、オペレータは、ＦＡＸ番号だけを入力すれば足りる。
【００１６】
本発明の第４の態様に係るインターネットファクシミリ装置は、複数のボタンを備えたパネルと、デフォルトドメイン名を格納するメモリと、前記パネルからの入力データが数字のみである場合前記入力データが中継の最終宛先のＦＡＸ番号であると判定する判定部と、前記判定部が入力データが中継の最終宛先のＦＡＸ番号であると判定した場合前記ＦＡＸ番号に前記中継機メールアドレスを付加して中継依頼用メールアドレスを生成するパネル入力制御部と、前記中継依頼用メールアドレスを宛先とする電子メールを送信するメール送信処理部と、を具備する構成を採る。
【００１７】
この構成により、オペレータがパネルからＦＡＸ番号を入力すると、ＦＡＸ番号は通常数字のみからなるので、パネル入力制御部は、この入力データを中継の最終宛先のＦＡＸ番号と判定し、このＦＡＸ番号を中継機メールアドレスに付加し、中継依頼用メールアドレスを生成するので、オペレータは、ユーザ名だけを入力すれば足りる。
【００１８】
本発明の第５の態様に係るアドレス入力制御方法は、パネルからユーザ名が入力されたならば前記ユーザ名にデフォルトドメイン名を付与してメールアドレスを生成し、このメールアドレスを電子メール送信処理部に送る。
【００１９】
この方法により、パネルからオペレータがユーザ名を入力すると、ユーザ名にデフォルトドメインを付加し、メールアドレスを生成するので、オペレータは、ユーザ名だけを入力すれば足りる。
【００２０】
本発明の第６の態様に係るアドレス入力制御方法は、パネルからの入力データにアットマークを含まれていないならば前記入力データをユーザ名と判定し、前記ユーザ名にデフォルトドメイン名を付与してメールアドレスを生成し、このメールアドレスを電子メール送信処理部に送る。
【００２１】
この方法により、オペレータがパネルからユーザ名を入力すると、ユーザ名にはアドレスとドメイン名との境を示すアットマークは含まれていないので、この入力データをユーザ名と判定し、このユーザ名にユーザ名にデフォルトドメインを付加し、メールアドレスを生成するので、オペレータは、ユーザ名だけを入力すれば足りる。
【００２２】
本発明の第７の態様に係るアドレス入力制御方法は、パネルからＦＡＸ番号が入力されたならば前記ＦＡＸ番号に中継機メールアドレスを付与して中継依頼用メールアドレスを生成し、この中継依頼用メールアドレスを電子メール送信処理部に送る。
【００２３】
この方法により、パネルからオペレータがユーザ名を入力すると、中継機メールアドレスにＦＡＸ番号を付加し、中継依頼用メールアドレスを生成するので、オペレータは、ＦＡＸ番号だけを入力すれば足りる。
【００２４】
本発明の第８の態様に係るアドレス入力制御方法は、パネルからの入力データが数字のみであるならば前記入力データは中継の最終宛先のＦＡＸ番号と判定し、前記ＦＡＸ番号に中継機メールアドレスを付与して中継依頼用メールアドレスを生成し、この中継依頼用メールアドレスを電子メール送信処理部に送る。
【００２５】
この方法により、オペレータがパネルからＦＡＸ番号を入力すると、ＦＡＸ番号は通常数字のみからなるので、この入力データを中継の最終宛先のＦＡＸ番号と判定し、このＦＡＸ番号を中継機メールアドレスに付加し、中継依頼用メールアドレスを生成するので、オペレータは、ユーザ名だけを入力すれば足りる。
【００２６】
以下、本発明の実施の形態について図面を参照して説明する。
図１は、本発明の実施の形態に係るインターネットファクシミリ装置が動作するネットワークを示す概念図である。
この実施の形態に係るインターネットファクシミリ装置（以下、ＩＦＡＸという）１は、ＬＡＮ２に繋がっている。このＬＡＮ２は、インターネット３に繋がっている。このインターネット３に、受信側のＩＦＡＸ４が繋がっている。また、インターネット３には、中継機としてのＩＦＡＸ（以下、中継機という）５が繋がっている。この中継機５は、公衆電話回線網（ＰＳＴＮ）６に繋がっている。ＰＳＴＮ６には、Ｇ３ＦＡＸ７が繋がっている。
【００２７】
ＩＦＡＸ１は、ＬＡＮ２およびインターネット３を介して、ＩＦＡＸ４との間で画情報等を電子メールで送受信する。また、ＩＦＡＸ１は、中継機５に対して、Ｇ３ＦＡＸ７へのデータの中継を依頼する。中継機５は、ＩＦＡＸ５から受信した電子メールデータをファクシミリデータに変換し、このファクシミリデータをＧ３ＦＡＸ７に送信する。
【００２８】
以下、この実施の形態に係るＩＦＡＸ１について詳細に説明する。図２は、上記実施の形態に係るＩＦＡＸのハードウエアを示すブロック図である。ＣＰＵ１１は、プログラムを実行し、装置全体の制御を行う。ＲＯＭ１２は、ＣＰＵ１１が実行するプログラムを格納する。
【００２９】
ＲＡＭ１３は、プログラムを実行する作業エリアおよび電子メール、画像ファイル等の各種データを一時的に記憶するバッファエリアを有する。
【００３０】
ＦＡＸ・音声処理部１４は、ファクシミリデータおよび音声を変調し、変調データをＰＳＴＮ６へ出力すると共に、ＰＳＴＮ６から受信した変調データをファクシミリデータおよび音声データに復調する。
【００３１】
スキャナ１５は、原稿を読み取りイメージデータを得る。プリンタ１６は、受信したイメージデータを含む各種データを印刷する。
【００３２】
ＬＡＮインターフェース１７は、ＬＡＮ２上でデータを送受信するために必要な手順を実行する。
【００３３】
パネル１８は、ダイヤルキーやタッチパネルを備え、宛先の指定、送信開始指示等のオペレータによる操作を受け取る。
【００３４】
ＲＯＭ１２には、プログラムが格納されており、ＣＰＵ１１がそのプログラムを実行する。その結果として実現される機能について以下説明する。図３は、上記実施の形態に係るＩＦＡＸの機能を示すブロック図である。
【００３５】
ＩＦＡＸ１は、ＦＡＸ音声制御部１００、スキャナ制御部２００およびプリンタ制御部３００を備え、ＦＡＸ・音声処理部１４、スキャナ１５およびプリンタ１６の各処理部を制御している。
【００３６】
また、ＩＦＡＸ１は、ＩＦＡＸとしての機能を実現するＩＦＡＸ制御部４００を備えている。さらに、ＩＦＡＸ１は、パネル１８からの入力を制御するパネル制御部５００を備えている。
【００３７】
図４は、上記実施の形態に係るＩＦＡＸのＩＦＡＸ制御部を示す機能ブロック図である。スキャナ制御部２００は、スキャナ１６で読み込んだ生イメージデータ（例えば、ビットマップデータ）をＩＦＡＸ制御部４００に送る。スキャナ１６での原稿の読み込みは原稿１ページ毎に行われ、従って、生イメージデータは原稿１ページ毎に生成される。ＩＦＡＸ制御部４００では、生イメージデータを、圧縮伸長部４０１で例えばＭＨのような圧縮形式で圧縮し、圧縮データを得る。これらの圧縮データを、ＴＩＦＦ変換部４０２で１つのＴＩＦＦ（Ｔａｇｇｅｄ  Ｉｍａｇｅ  Ｆｉｌｅ  Ｆｏｒｍａｔ）ファイルに変換する。このＴＩＦＦファイルを、電子メール作成部４０３で、例えばＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）  に従ってマルチパートメールに添付し、Ｉ−ＦＡＸメールを生成する。
【００３８】
作成されたＩ−ＦＡＸメールを、メール送信部４０４により、例えばＳＭＴＰ（Ｓｉｍｐｌｅ  Ｍａｉｌ  Ｔｒａｎｓｆｅｒ  Ｐｒｏｔｏｃｏｌ）に従って、ＬＡＮインターフェース１７を介して、メールサーバに送信する。
【００３９】
一方、ＩＦＡＸ制御部４００では、メール受信部４０５が、ＬＡＮインターフェース１７を介してＩ−ＦＡＸメールを受信すると、バイナリ変換部４０６で、Ｉ−ＦＡＸメールに含まれる添付ファイルを、テキストコードからバイナリデータに変換し、ＴＩＦＦファイルを得る。得られたＴＩＦＦファイルは、ＴＩＦＦ展開部４０７で展開し、圧縮データを得る。これらの圧縮データを、圧縮伸長部４０１で伸長し、生イメージデータを得る。この生イメージデータをプリンタ１６で印刷する。
【００４０】
図５は、上記実施の形態に係るＩＦＡＸのパネルを示す平面図である。
パネル１８は、一番上に例えばＬＣＤからなる表示部５０１を備えている。この表示部５０１の下側には、印字濃度、文字サイズ、ハーフトーンおよび済スタンプ等の印字設定を行うための複数の印字設定ボタン５０２ａ〜５０２ｄが配置された印字設定部５０２を設けている。
【００４１】
印字設定部５０２の下側には、左側から順番に、メモリーボタン５０３、ファンクションボタン５０４、クイックダイヤルボタン５０５およびインターネットボタン５０６を配置している。
【００４２】
これらのボタン５０３〜５０６の下側には、複数のワンタッチダイヤルボタン５０７を配列した、ワンタッチダイヤル部５０８を設けている。さらに、ワンタッチダイヤル部５０８の下側には、複数のプログラムボタン５０９を配列した、プログラム通信部５１０を設けている。
【００４３】
プログラム通信部５１０の下側には、左側から順番に、再ダイヤル／ポーズボタン５１１、短縮ボタン５１２、サブアドレス／フックボタン５１３、クリア／モニタ音量ボタン５１４、セットボタン５１５およびモニタボタン５１６を配置している。
【００４４】
これらのボタン５１１〜５１６の下側であってパネル１８の左側には、複数のテンキー５１７を配列したテンキー部５１８を設けている。このテンキー部５１８の左側には、ストップボタン５１９、コピーボタン５２０およびスタートボタン５２１を配置している。
【００４５】
図６は、上記実施の形態に係るＩＦＡＸのパネル制御部の機能を示すブロック図である。パネル制御部５００は、入力データを解析する入力データ解析部６０１を具備する。入力データ解析部６０１は、入力データを解析してその結果を判定部６０２に送る。入力データ解析部６０１は、入力データがアットマーク”＠”を含むか否か、すなわち入力データがユーザ名か否かについて解析する。また、入力データが数字だけか否か、すなわち入力データがＦＡＸ番号か否か解析する。
【００４６】
判定部６０２は、入力データ解析部６０１による解析の結果と、パネル１８のインターネットボタン５０６が押し下げられたか否かに基いて、この後の処理を決定する。
【００４７】
デフォルトドメイン付加部６０３は、入力データがユーザ名である場合このユーザ名にＲＡＭ１３に格納したデフォルトドメイン名６０４を付加してメールアドレスを得、これを電子メール作成部４０３に送る。
【００４８】
また、中継機アドレス付加部６０５は、入力データがＦＡＸ番号である場合、ＲＡＭ１３に格納した中継機メールアドレス６０６をＦＡＸ番号に付加して中継用メールアドレスを得、入力したＦＡＸ番号の前方に中継を示すコマンド文字（例えば、ＦＡＸ＃）を、中継用のドメイン名を後方に付加し、ＦＡＸ＃ＦＡＸ番号＠ドメイン名という形のメールアドレスを生成し、これを電子メール作成部４０３に送る。
【００４９】
デフォルトドメイン登録部６０７は、登録モードにおいて、パネル１８から入力したデフォルトドメイン名をＲＡＭ１３に登録する。同じく、中継機アドレス登録部６０８は、パネル１８から入力した中継機メールアドレスをＲＡＭ１３に登録する。
【００５０】
また、ＲＡＭ１３には、デフォルトドメインフラグ６０９を示すアドレスが設けられており、このデフォルトドメインフラグ６０９がオンであるとき、デフォルトドメイン付加部６０３が入力データにデフォルトドメインを付加するようになっている。さらに、ＲＡＭ１３には、パスワード６１０を格納するアドレスが設けられており、中継機に電子メールを送信するときに、電子メール作成部４０３がこの電子メールのテキスト部にこのパスワードを追加するようになっている。
【００５１】
次に、以上の構成からなるＩＦＡＸ１における電子メールの送信動作について説明する。図７は、上記実施の形態に係るＩＦＡＸにおける電子メール送信の各工程を示すフロー図である。
【００５２】
オペレータは、ＩＦＡＸ１の原稿載置台に原稿を置いた後、パネル１８のインターネットボタン５０６を押し下げる（ＳＴ７０１）。この場合、パネル制御部５００は、パネル１８の入力モードを、文字列入力モードに切り替える。これにより、オペレータは、パネル１８のワンタッチダイヤルボタン５０７およびプログラムボタン５０９を用いてアルファベット、記号等の文字列を入力することが可能になる。
【００５３】
次に、オペレータは、パネル１８から宛先の入力を行う（ＳＴ７０２）。次いで、スタートボタン５２１を押し下げ、送信処理の開始を指示する（ＳＴ７０３）。
パネル制御部５００の、入力データ解析部６０１は、入力データを解析する（ＳＴ７０４）。入力データ解析部６０１は、この解析結果を判定部６０２に送る。
【００５４】
判定部６０２は、まず、入力データが数字のみからなるか否か判定する（ＳＴ７０５）。入力データが数字のみでない場合、すなわち入力データがアルファベットおよび／または記号からなる場合、入力データ中にアットマーク”＠”が含まれているか否か判定する（ＳＴ７０６）。ここで、アットマークが含まれいない場合、判定部６０２は、入力データはメールアドレスのユーザ名であると判断する。
【００５５】
次に、判定部６０２は、ＲＡＭ１３のデフォルトドメインフラグ６０９のアドレスにアクセスし、デフォルトドメインフラグ６０９がオンか否か判定する（ＳＴ７０７）ＳＴ７０７でデフォルトドメインフラグ６０９がオンである場合、判定部６０２は、入力データをデフォルトドメイン付加部６０３に送るように指示する。デフォルトドメイン付加部６０３は、入力データすなわちユーザ名にデフォルトドメインを付加する（ＳＴ７０８）。デフォルトドメイン付加部６０３は、生成したメールアドレスを、ＩＦＡＸ制御部４００の電子メール作成部４０３に送る（ＳＴ７０９）。
【００５６】
電子メール作成部４０３は、このメールアドレスを宛先フィールド［Ｔｏ：］または［Ｃｃ：］に指定して、ヘッダを作成する（ＳＴ７０９）。さらに、電子メール作成部４０３は、ヘッダにテキスト部およびデータ部を追加して、電子メールを作成し、メール送信部４０４は、この電子メールを送信する（ＳＴ７１０）。
【００５７】
ＳＴ７０７でデフォルトドメインフラグがオフである場合、判定部６０２は、入力データはメールアドレスのフォーマットに適合しないので、入力エラーと判定し、エラー処理（ＳＴ７１１）を行う。
【００５８】
一方、ＳＴ７０５において、入力データ中にアットマークが含まれている場合、判定部６０３は、入力データはメールアドレスであると判断し、処理をＳＴ７０６およびＳＴ７０７をスキップしてＳＴ７０８に進め、当該メールアドレス宛ての電子メールを作成し、送信する（ＳＴ７１０）。
【００５９】
ＳＴ７０４において、判定部６０３が入力データは数字のみであると判断した場合、入力データを中継機アドレス付加部６０５に送る。中継機アドレス付加部６０５は、入力データすなわちＦＡＸ番号を、中継用メールアドレスのフォームにしたがって中継機アドレスに付加して、中継用メールアドレスを作成する（ＳＴ７１２）。例えば、○○○○という電話番号を入力すると、ＦＡＸ＃○○○○＠中継機用ドメイン名という中継用メールアドレスを生成する。
【００６０】
次に、ＩＦＡＸ１のＩＦＡＸ制御部４００の電子メール作成部４０３において、電子メールのテキスト部の１行目に、ＲＡＭ１３から取り込んだパスワード６１０を追加する（ＳＴ７１３）。その後、電子メール作成部４０３は、ヘッダを作成し、電子メールを作成する（ＳＴ７０９）。メール送信部４０４が作成した電子メールを送信する（ＳＴ７１０）。
【００６１】
図８は、上記実施の形態に係るＩＦＡＸにおけるデフォルトドメイン名の登録の各工程を示すフロー図である。
まず、オペレータが特定のボタンを押し下げると、パネル制御部５００は登録モードになる（ＳＴ８０１）。次に、オペレータは、パネル１８からデフォルトドメイン名を入力すると、パネル制御部５００のデフォルトドメイン登録部６０７は、入力したデフォルトドメイン名をＲＡＭ１３の所定のアドレスに登録する（ＳＴ８０２）。この後、デフォルトドメイン登録部６０７は、デフォルトドメインフラグをオンにする（ＳＴ８０３）。そして、パネル制御部５００は、登録モードをオフにする（ＳＴ８０４）。中継機アドレス登録部６０８による中継機アドレスの登録も略同様に行われる。
【００６２】
以上説明したように、上記実施の形態に係るＩＦＡＸ１によれば、入力データ解析部６０１が、パネル１８からの入力データを解析し、この解析結果に基いて、判定部６０２が入力データがメールアドレスのユーザ名であると判定した場合、デフォルトドメイン付加部６０３がＲＡＭ１３からデフォルトドメイン名を取り込み、このユーザ名に付加する。これにより、オペレーターは、ユーザ名のみを入力すれば足りるので、比較的入力が難しいパネル１８から宛先のメールアドレスを簡単にかつ誤りなく入力することができる。
【００６３】
また、判定部６０２は、ユーザ名でなくメールアドレスであると判断した場合、この例では入力データにアットマークが含まれている場合、電子メール作成部４０３に入力データを宛先に指定してヘッダを作成するよう指示する。従って、オペレータは、何の意識なしに、メールアドレスを入力すれば足りる。
【００６４】
また、判定部６０２は、デフォルトドメインフラグ６０９がオンになっている場合に、デフォルトドメイン付加部６０３を有効にするので、オペレータのニーズに合わせてデフォルトドメイン名を使用できる。さらに、図８に示すように、デフォルトドメイン登録部６０７は、デフォルトドメイン名６０４をＲＡＭ１３に登録したときに、デフォルトドメインフラグ６０９をオンにするので、デフォルトドメイン名を登録したときにデフォルトドメイン付加部６０３を自動的に有効にすることができる。
【００６５】
さらに、上記実施の形態に係るＩＦＡＸ１によれば、判定部６０２は、パネル１８のインターネットボタン５０６が押し下げられた後、パネル１８から数字のみが入力された場合、中継の最終宛先のＦＡＸ番号が入力されたと見做す。この場合、中継用アドレス付加部６０５は、このＦＡＸ番号をＲＡＭ１３に格納した中継機メールアドレスに付加し、中継用アドレスを生成する。電子メール作成部４０３は、この中継用アドレスを宛先に指定してヘッダを作成する。従って、オペレータは、インターネットボタン５０６を押して、ＦＡＸ番号を入力すれば足りるので、比較的長い中継用アドレスをパネル１８から入力する必要がない。この結果、オペレータは、比較的入力が難しいパネル１８から中継機への中継依頼を簡単にかつ誤りなく入力することができる。
【００６６】
また、上述の中継依頼処理は、オペレータがインターネットボタン５０６を押し下げた後ＦＡＸ番号を入力したときに行われるので、オペレータがインターネットボタン５０６を押さずにＦＡＸ番号を入力したときには、通常のファクシミリ送信が行われるので、オペレータに余分な操作を強要しないで済む利点がある。
【００６７】
本発明は、上記実施の形態に限定されるものではない。上記実施の形態では、Ｇ３／Ｇ４ＦＡＸおよびＩＦＡＸの機能を搭載したインターネットファクシミリ装置を例に挙げて説明したが、本発明は、ＩＦＡＸの機能だけを搭載したインターネットファクシミリ装置にも適用できる。さらに、本発明は、ＩＦＡＸの機能を搭載した、コピー機、ネットワークスキャナ、ネットワークプリンタ、画像複合機、携帯情報端末（ＰＤＡ）等の情報処理端末に適用することができる。
【００６８】
また、本発明は、上記実施の形態に係るインターネットファクシミリ装置と同様の処理を実行するための、ＣＰＵで実行されるプログラムを格納した記憶媒体を包含する。さらに、本発明は、スキャナが接続され、かつ、ネットワーク通信部を備え、前記記憶媒体に格納したプログラムを実行するパーソナルコンピュータにも適用可能である。
【００７０】
【発明の効果】
本発明によれば、パネルからの入力データが数字のみである場合入力データが中継の最終宛先のＦＡＸ番号であると判定し、入力データに中継機用ドメイン名を付加して中継用メールアドレスを生成するので、ユーザは中継用メールアドレス全てを入力することなく中継を依頼することができる。
【図面の簡単な説明】
【図１】本発明の実施の形態に係るインターネットファクシミリ装置が動作するネットワークを示す概念図
【図２】上記実施の形態に係るＩＦＡＸのハードウエアを示すブロック図
【図３】上記実施の形態に係るＩＦＡＸの機能を示すブロック図
【図４】上記実施の形態に係るＩＦＡＸのＩＦＡＸ制御部を示す機能ブロック図
【図５】上記実施の形態に係るＩＦＡＸのパネルを示す平面図
【図６】上記実施の形態に係るＩＦＡＸのパネル制御部の機能を示すブロック図
【図７】上記実施の形態に係るＩＦＡＸにおける電子メール送信の各工程を示すフロー図
【図８】上記実施の形態に係るＩＦＡＸにおけるデフォルトドメイン名の登録の各工程を示すフロー図
【符号の説明】
１  インターネットファクシミリ装置（ＩＦＡＸ）
２  ＬＡＮ
３  インターネット
１８  パネル
４００  ＩＦＡＸ制御部
５００  パネル制御部
６０１  入力データ解析部
６０２  判定部
６０３  デフォルトドメイン付加部
６０５  中継機アドレス付加部
６０７  デフォルトドメイン登録部
６０８  中継機アドレス登録部
【図１】
0003631137.tif 000002
【図２】
0003631137.tif 000003
【図３】
0003631137.tif 000004
【図４】
0003631137.tif 000005
【図５】
0003631137.tif 000006
【図６】
0003631137.tif 000007
【図７】
0003631137.tif 000008
【図８】
0003631137.tif 000009